(57)【要約】【課題】この発明は、狭い空間内で効率的にペットの洗浄等を行えるペット用美容車両を提供することを課題とする。【解決手段】この発明のペット美容車両は、車両後部に設けた空間Ｓと、この空間Ｓに設けた給水槽１と、この給水槽１に連通された湯沸し器２と、これら給水槽１及び湯沸し器２に連通されたシャワー設備３と、内側にペット洗浄空間Ｐ及びペットの洗浄水を流す排水口が設けてある浴槽４と、この排水口に濾過装置８を介して連通された排水槽５と、ペットを載置してカット及び乾燥作業を行う作業台６と、空間Ｓへ乗り降り可能な乗降設備７とを備えた車両において、前記浴槽４が、その（向かい合う一組の）両側方において作業空間ｓ１１、ｓ１２が形成されるように前記空間Ｓに配設している。【選択図】　　　　図５
2004024111.tif 000002
【特許請求の範囲】
【請求項１】
車両後部に設けた空間Ｓと、この空間Ｓに設けた給水槽１と、この給水槽１に連通された湯沸し器２と、これら給水槽１及び湯沸し器２に連通されたシャワー設備３と、内側にペット洗浄空間Ｐ及びペットの洗浄水を流す排水口４３ａが設けてある浴槽４と、この排水口４３ａに濾過装置８を介して連通された排水槽５と、ペットを載置してカット及び乾燥作業を行う作業台６と、空間Ｓへ乗り降り可能な乗降設備７とを備えた車両において、前記浴槽４が、その両側方において作業空間ｓ１１、ｓ１２が形成されるように前記空間Ｓに配設してなることを特徴とするペット美容車両。
【請求項２】
車両後部に設けた空間Ｓと、この空間Ｓに設けた給水槽１と、この給水槽１に連通された湯沸し器２と、これら湯沸し器２及び給水槽１に連通されたシャワー設備３と、内側にペット洗浄空間Ｐ及びペットの洗浄水を流す排水口４２ａが設けてある浴槽４と、この排水口に濾過装置８を介して連通された排水槽５と、ペットを載置してカット及び乾燥作業を行う作業台６と、空間Ｓへ乗り降り可能な乗降設備７とを備えた車両において、前記作業台６が、その両側方において作業空間ｓ１１、ｓ１２が形成されるように前記空間Ｓに配設してなることを特徴とするペット美容車両。
【請求項３】
乗降設備７が、車両後端に設けてあり、前記作業台６が、細長形状であると共にその長手方向の一側面が前記空間Ｓの前端面と接するように配設してなり、前記浴槽４が、細長形状であると共にその短手方向の一側面が前記空間Ｓの後端面と接するように配設してなることを特徴とする請求項１記載のペット美容車両。
【請求項４】
浴槽４が、細長形状であると共にその長手方向の一側面が前記空間Ｓの前端面に接するように配設したものであり、前記作業台６が、細長形状であると共にその短手方向の一側面が前記空間Ｓの後端面に接するように配設したものであり、前記乗降設備７が車両後端に設けてあることを特徴とする請求項２記載のペット美容車両。
【請求項５】
作業台６が、前記給水槽１と前記排水槽５とを並設して一体としたものとしてなると共に、前記給水槽１及び排水槽５の車両前方側面にそれぞれ車両内の水を補給、回収する注入口１ａ及び注出口５ｂを設けてあり、前記浴槽４が、その下方に、前記湯沸し器２と濾過装置８を収蔵してなると共に、この濾過装置８が、前記浴槽４の下方にて乗降設備７の付近寄りに配設されたことを特徴とする請求項３記載のペット美容車両。
【発明の詳細な説明】
【０００１】
【発明の属する技術分野】
この発明は、ペットの出張美容サービス（洗浄、カット、乾燥等）を車内で行うためのペット用美容車両に関する。
【０００２】
【従来の技術】
従来、ペットの出張美容サービスを車内で行うためのペット用美容自動車として、図１１のように、カットなどの美容作業を行う作業台６０と、ペット洗浄作業に使う給排水を貯めておく給排水槽１０、５０と、給水槽１０に連結した給湯器（図示せず）と、給湯器や給水槽１０に連結したシャワー式水栓３０と、シャワー式水栓３０の湯水を流す浴槽４０でその排水口が排水槽５０に連結したものとを備えた車両がある。これは、車内設備のみでペットの美容（洗浄、カット、乾燥等）を行えるものであるため、出張先である作業場所の環境を問わずに衛生的なペットの美容が可能である。
【０００３】
【発明が解決しようとする課題】
しかしながら、上記ペット用美容自動車においては、広さの限られた車内で作業空間を確保するため、浴槽４０や作業台６０を車内空間の壁に沿って配置していた（図１１）。このため、浴槽４０や作業台６０の片側、すなわちこれらの一側面方向である作業空間ｓ１０、ｓ２０からしか作業できず、一つの浴槽４０や作業台６０での作業員数が限られたり、洗浄時にペットの保定が不十分になったりして、作業の効率性が良いとはいえないものであった。
【０００４】
【課題を解決するための手段】
そこで、この発明は、このような点を解決すべくなされたものであって、浴槽４やカット台の形状及び配置を工夫することで、狭い空間内で効率的にペットの洗浄等を行えるものとしたことを主たる目的としている。
【０００５】
すなわち、この発明のペット美容車両は、車両後部に設けた空間Ｓと、この空間Ｓに設けた給水槽１と、この給水槽１に連通された湯沸し器２と、これら給水槽１及び湯沸し器２に連通されたシャワー設備３と、内側にペット洗浄空間Ｐ及びペットの洗浄水を流す排水口が設けてある浴槽４と、この排水口に濾過装置８を介して連通された排水槽５と、ペットを載置してカット及び乾燥作業を行う作業台６と、空間Ｓへ乗り降り可能な乗降設備７とを備えた車両において、前記浴槽４が、その（向かい合う一組の）両側方において作業空間ｓ１１、ｓ１２が形成されるように前記空間Ｓに配設しているので、複数の作業員が浴槽４の両側から洗浄できる。
【０００６】
或いはこの発明のペット美容車両は、車両後部に設けた空間Ｓと、この空間Ｓに設けた給水槽１と、この給水槽１に連通された湯沸し器２と、これら給水槽１及び湯沸し器２に連通されたシャワー設備３と、内側にペット洗浄空間Ｐ及びペットの洗浄水を流す排水口が設けてある浴槽４と、この排水口に濾過装置８を介して連通された排水槽５と、ペットを載置してカット及び乾燥作業を行う作業台６と、空間Ｓへ乗り降り可能な乗降設備７とを備えた車両において、前記作業台６が、その（向かい合う一組の）両側方において作業空間ｓ１１、ｓ１２が形成されるように前記空間Ｓに配設してなることを特徴としている。
【０００７】
このようなものであれば、複数の作業員が作業台６の両側から（作業空間ｓ１１、ｓ１２において）カット、乾燥等の作業を行うことができる。
【０００８】
さらにこの発明のペット美容車両は、作業台６が、細長形状であると共にその長手方向の一側面が（車両の左右方向となるようにして）前記空間Ｓの前端面と接するように（座席ドアの近傍に）配設してなり、前記浴槽４が、細長形状であると共にその短手方向の一側面が（車両の左右方向となるようにして）前記空間Ｓの後端面と接するように（後述の乗降口の近傍に）配設してなり、前記乗降設備７が車両後端に設けてあるものとすることができる。
【０００９】
或いは、浴槽４が、細長形状であると共にその長手方向の一側面が車両の左右方向となるようにして前記空間Ｓの前端面に接するように（すなわち、座席ドアの近傍に）配設したものであり、前記作業台６が、細長形状であると共にその短手方向の一側面が車両の左右方向となるようにして前記空間Ｓの後端面に接するように（すなわち、後述の乗降設備７の近傍に）配設してなり、前記乗降設備７が車両後端に設けてあるものとすることができる。
【００１０】
このようなものであれば、乗降設備７のある車両後方で洗浄作業を行い、車両の空間Ｓの前方でカット及び乾燥の作業を行うこととなるので、車両内の限られた空間Ｓにおいて、洗浄の作業空間ｓ１１、ｓ１２とカットや乾燥の作業空間ｓ２１とを分離して効率的に作業空間を確保することができる。これにより、複数の作業者により作業台６での作業と浴槽４での作業を行うことで、複数のペットの美容を同時に行うことができ、作業効率がよいものとなる。
【００１１】
さらに、より作業効率がよく保守管理にも優れたものとするためには、作業台６が、前記給水槽１と前記排水槽５とを（車両の左右に）並設して一体としたものとしてなると共に、前記給水槽１及び排水槽５（座席側の側面（車両の前方））の車両前方側面にそれぞれ車両内の使用水を補充、回収するための注入口１ａ及び注出口５ｂを設けてあり、前記浴槽４が、その下方に、前記湯沸し器２と濾過装置８とを収蔵してなると共に、この濾過装置８が、前記浴槽４の下方にて乗降設備７の付近寄りに配設されたものとすることが好ましい。
【００１２】
このようなものであれば、限られた車両内の空間Ｓにおいて、作業台６の占める広さと、給水槽１及び排水槽５の占める広さとが別個に必要になることはなく、また、浴槽４の占める広さと排水ポンプ９１及び湯沸し器２の占める広さとが別個に必要になることはない。
【００１３】
さらに、注入口１ａ及び注出口５ｂが座席のドアと近接するため、注入口１ａ及び注出口５ｂへホースを接続することによる、シャワー使用水の補給及び使用したシャワー排水の車両外部への回収、排水等を、座席のドアから容易に行うことができる。
【００１４】
また、濾過装置８が乗降設備７と近接するため、濾過装置８にて濾過したペットの毛などの汚物の回収作業や、濾過装置８の洗浄作業を、乗降設備７から容易に行うことができる。
【００１５】
【発明の実施の形態】
以下、この発明の構成を、実施例として示した図面に基づいて詳細に説明する。
【００１６】
図１は、車両の概観図を、図２〜図５は、各機器の配置を示す平面図である。図６〜図７は、浴槽を示したものである。図８〜図１０は、作業台を示したものである。
【００１７】
図１ないし図１０に示すこの発明のペット美容車両は、車両後部に設けた空間Ｓと、この空間Ｓに設けた給水槽１と、この給水槽１に連通された湯沸し器２と、これら給水槽１及び湯沸し器２に連通されたシャワー設備３と、内側にペット洗浄空間Ｐ及びペットの洗浄水を流す排水口が設けてある浴槽４と、この排水口に濾過装置８及び排水ポンプ９１を介して連通された排水槽５と、ペットを載置してカット及び乾燥作業を行う作業台６と、空間Ｓへ乗り降り可能な乗降設備７とを備えた車両において、前記浴槽４が、その向かい合う一組の両側方において作業空間ｓ１１、ｓ１２が形成されるように前記空間Ｓに配設してなるものとしている。
【００１８】
本実施の形態においては、浴槽４が、平面視細長形状たる矩形形状（すなわち略直方体形状）であり、その短手方向が車両の左右方向に沿うような向きに配設している。また、浴槽４は、車両の空間Ｓの一側方に寄せて配設してある。
【００１９】
以下、各部を詳述する。空間Ｓは、車両の一列座席の後部直近に設けた仕切り壁（図示せず）と、それより後方の車内壁とから構成され、カットからシャワー、乾燥、セットに至るまでの、ペットの美容作業を行いうる空間である。
【００２０】
給水槽１は、車内でペットの洗浄に使用する使用水を貯溜する、平面視細長形状たる矩形のもの略直方体形状のものであり、この直方体形状の長手方向の一側面が空間Ｓの前端面すなわち仕切り壁（図示せず）と接触するように配設される。また給水槽１は、槽本体と蓋板とから構成され、さらに車両前方寄りの一側面の上部に設けられ外部からホースにて使用水を注入する注入口１ａと、加圧ポンプ９２を介して後述のシャワー設備３及び湯沸し器２へ使用水を供給する注出口１ｂとを備える（図８〜図１０）。
【００２１】
注入口１ａは開閉バルブとホースを着脱自在に接続しうる着脱構造とを備え、車両の前方寄りすなわち空間Ｓの前端面に設けられている。このとき、車両の座席の後部直近に設けた仕切り壁（図示せず）が空間Ｓの前端面を構成するので、注入口１ａは、車両の座席ドアの後部直近に設けられることとなる。
【００２２】
湯沸し器２は、水槽内に満たした加圧水を加温器で加温して貯溜するものであり、給水槽１の注出口１ｂから加圧ポンプを介して連通されると共に、シャワー設備３に連通される。加温器は、空間Ｓの前後方向に沿って配設された貯湯槽の下方に設けられる収蔵空間のうち、前方寄りの位置に配設される。加温器は、車両の動力部である走行エンジンのラジエータを延長してなる金属性配管からなり、エンジンの熱で高温となったラジエータ冷却水が配管内を通ることで、金属の熱伝導により配管外たる貯湯槽内を加温するものである（図示せず）。
【００２３】
シャワー設備３は、湯沸し器２による給水と給水槽１からの給水とを混合する混合式シャワー水栓であり、温度調節器及びシャワーを掛置する掛置台を、空間Ｓの側端面を構成する内側壁に備えてなる。実施例では、後述の浴槽４の両側方に形成される作業空間ｓ１１、１２のうち、狭いほうの空間（より車両内側壁に近いほうの空間）ｓ１２に、これら温度調節器及び掛置台を配設している。これらシャワー設備３の各要素（混合式シャワー水栓、温度調節器及び掛置台）は、それぞれ複数のものとしても良い（図示せず）。例えば、掛置台は、空間Ｓの後端面を構成する内壁（本実施例では、乗降設備７のドアの内面）に配設しても良い。
【００２４】
浴槽４は、内側にペット洗浄空間Ｐを形成すると共にこのペット洗浄空間Ｐを上方に開放したものとする開口Ｑが形成してある浴槽本体４１と、それ自体を浴槽本体４１に取り付けて前記開口Ｑを部分的或いは全体的に閉塞する閉塞状態Ｒとすることができる天板部４２と、この閉塞状態Ｒで天板部４２を浴槽本体４１に固定する固定手段４４とから構成してある（図６〜図７）。
【００２５】
また、浴槽４は、平面視矩形形状の略直方体形状であり、その平面視短手方向の一側面が前記空間Ｓの後端面と接するように配設してなる。このとき、前記空間Ｓの後端面は乗降設備７のドアの内側壁で構成されるので、浴槽４の一側面は乗降設備７の開口部近傍となる。また、浴槽４の長手方向の両側方には作業空間ｓ１１、ｓ１２が形成される（図６〜図７）。浴槽４の下方には、前記湯沸し器２と、濾過装置８と、排水ポンプ９１と、加圧ポンプ９２とを収蔵してなる。さらに具体的には、濾過装置８が、乗降設備７の付近寄りである、空間Ｓの後方寄りに配設して収蔵されている。
【００２６】
浴槽本体４１は、ペット洗浄空間Ｐ内の水を排水する排水口４１ａと、前記ペット洗浄空間Ｐ及び開口Ｑを構成する側部４１ｂと、ペット洗浄空間Ｐを構成する底部４１ｃとから構成されてなる。
【００２７】
天板部４２は、それ自体を浴槽本体４１に取り付けて前記開口Ｑを部分的或いは全体的に閉塞する閉塞状態Ｒとすることができるものである。また、前記閉塞状態Ｒにおいてぺットを載せ置くことができるものである。
【００２８】
支持体４３は、この浴槽本体４１を支持するものであり、本実施例では、側部４１ｂの上端縁にて浴槽本体４１の外側面をも保護するものであり、複数の足部４３ａと、各足部４３ａ間に設けられた短手側面及び長手側面の保守空間Ｔ、Ｕと、この保守空間Ｔ、Ｕを覆う板状の保守用板とを備える。
【００２９】
固定手段４４は、閉塞状態Ｒで天板部を浴槽本体に固定するものである。固定手段４４は、前記浴槽本体４１に設けられた浴槽嵌合部と、天板部４２に設けられた天板嵌合部とが嵌合する嵌合構造であり、天板嵌合部を浴槽嵌合部に嵌合させて前記閉塞状態Ｒとしうる。具体的には、天板部４２の下面に突出して設けられた突部と、浴槽本体４１を構成する側面部４１ｂとが嵌合する構造であり、前記浴槽本体４１ａの内側面と、突部の外側面とが前記開口Ｑにて摺接して嵌合する。
【００３０】
排水槽５は、車内でペットの洗浄に使用した後の使用水を貯溜する、平面視細長形状たる略直方体形状のものであり、この直方体形状の長手方向の一側面が空間Ｓの前端面すなわち仕切り壁（図示せず）と接触するように配設される。排水槽５は、車両前方寄りの一側面の上部に設けられた排水する注出口５ｂと、車両前方寄りの一側面の上部に設けられた注入口５ａとを備える（図８〜図１０）。また排水槽５は、槽本体５１と蓋板５２とから構成され、注出口５ｂの着脱構造５ｄから外部へ接続したホースにて使用水を回収するものである。
【００３１】
槽本体５１は、上方に開放した箱状のものであり、貯溜する使用水たる排水が車両の振動などによってもこぼれないようにするため、上部に返し板５１ａを備える。
【００３２】
排水する注入口５ａは、排水ポンプ９１により揚水された排水を排水槽５の槽本体５１内に注入するものである。
【００３３】
注出口５ｂは、排水ポンプ９１から揚水される使用水たる排水を槽本体５１へ注入するものであり、ホースを着脱自在に接続しうる着脱構造５ｄと開閉バルブ５ｃとを備え、車両の前方寄りすなわち空間Ｓの前端面に接するように設けられている。このとき、車両の座席の後部直近に設けた仕切り壁が空間Ｓの前端面を構成するので、注出口５ｂは、車両の座席ドアの後部直近に設けられることとなる。
【００３４】
作業台６は、前記給水槽１と前記排水槽５とを並設して一体としたものとし、左右方向に沿うような向きで配設される。作業台６は、作業台６の長手方向の一側面が前記空間Ｓの前端面と接するように座席ドアの近傍に配設し、このとき、作業台６の長手方向の他側面方向に作業空間ｓ２１が形成される（図８〜図１０）。
【００３５】
作業天板６２は、蓋板５２と蓋板１２とを並設して一体としてなる。
【００３６】
乗降設備７は、開口部と、開口部を開閉する一対の両開きのドアと、開口部に近接して載置可能な乗降階段とからなり、車両後端に設けてある。
【００３７】
濾過装置８は、排水口からのペット洗浄後の排水を複数の濾過層により濾過して、ペットの毛等の洗浄による汚物を回収するものであり、本実施例では二重の濾過層としている。排水口に取り付けられた一次濾過層たる碗トラップ８１と、碗トラップ８１の排水口８１ａの下方に設けられた二次濾過層たる濾過網８２と、濾過網８２を支持すると共に二次濾過水を貯溜する濾過水槽８３とが設けてある。
【００３８】
濾過網８２は、碗トラップ８１の排水口８１ａから濾過水槽８３への間接排水を濾過するものであり、碗トラップ８１と濾過水槽８３との間に空間を設けているため、濾過水槽８３から容易に取り外すことができる。
【００３９】
濾過水槽８３は、前記浴槽４の下方にて乗降設備７の付近寄りに配設されることが好ましい。
【００４０】
その他、空間Ｓに換気扇Ｆ、コンセントＣ、スポットライトＬを設けたものとすることができる。
【００４１】
以上のように構成されたこの発明のペット美容車両は、以下のようにしてペットの美容作業及び保守管理ができる。
【００４２】
ペットを乗降階段７３から持ち込む。このとき、浴槽４が、空間Ｓの左右方向の一方（図面では右側）に寄ったものとして配設されているので、ペットを抱えながら移動するだけの作業空間ｓ１１が確保されており、ペットを乗降階段７３から容易に持ち込むことができる。
【００４３】
浴槽４においては、浴槽本体４１に天板部４２を取り付けていない状態で、浴槽本体４１内にペットを載置して、シャワー３により温水による洗浄作業が行える。このとき、浴槽４の長手両側方向の作業空間ｓ１１、ｓ１２のそれぞれに作業者がたてば、両作業者が洗浄作業を行うことができ、作業効率が良いものとなる（図３）。このとき、一方の作業者がペットを保定しながら、他方がシャワー３を用いれば安全に作業することができる。
【００４４】
また、浴槽４において浴槽本体４１に天板部４２を取り付けて閉塞状態Ｒとすることで、閉塞状態Ｒとした浴槽４にペットを載置してカット、洗浄後の乾燥、及びセットの作業が行える。
【００４５】
作業台６においては、作業台６の一側面方向の作業空間ｓ２１にてカット、洗浄後の乾燥、及びセットの作業が行える。このとき、浴槽４の長手方向が作業台６の長手方向と略直角に交わるように配設されているので、浴槽４から作業台６へ移動するとき、ペットから見て前方へ移動するようにすれば、ペットの移動が容易に行える。
【００４６】
浴槽４を閉塞状態Ｒとすれば、作業台６とで同時に複数のカット、乾燥作業が行える（図４）。
【００４７】
また換気扇Ｆを作動させて、ペットの毛の飛散を抑えることができる。
【００４８】
なお、前記浴槽４の変わりに、作業台６の両側方において、作業空間ｓ１１、ｓ１２が形成されるようにしてもよい。すなわち、車両後部に設けた空間Ｓと、この空間Ｓに設けた給水槽１と、この給水槽１に連通された湯沸し器２と、これら給水槽１及び湯沸し器２に連通されたシャワー設備３と、内側にペット洗浄空間Ｐ及びペットの洗浄水を流す排水口が設けてある浴槽４と、この排水口に濾過装置８を介して連通された排水槽５と、ペットを載置してカット及び乾燥作業を行う作業台６と、空間Ｓへ乗り降り可能な乗降設備７とを備えた車両において、前記作業台６が、その向かい合う一組の両側方において作業空間ｓ１１、ｓ１２が形成されるように前記空間Ｓに配設してなることを特徴とするペット美容車両としてもよい（図示せず）。
【００４９】
また、作業台６が、平面視細長形状であると共にその短手方向が車両の左右方向に沿うような向きに配設したものでも良い。
【００５０】
なお、前記浴槽４及び作業台６を入れ替えて配設したものとしても良い。すなわち、浴槽４の長手方向の一側面が車両の左右方向となるようにして前記空間Ｓの前端面に接するように（座席ドアの近傍に）配設し、作業台６の短手方向の一側面が車両の左右方向となるようにして前記空間Ｓの後端面に接するように（後述の乗降口の近傍に）配設したものとしても良い。このとき、浴槽４の長手方向の他側面方向（車両後方側の側面）に作業空間ｓ２１が形成され、作業台６の長手方向の両側方に作業空間ｓ１１、ｓ１２が形成される。
【００５１】
この発明は、その他各部の具体的な構成を含めて上述した実施例に限定されるものでなく、この発明の趣旨を逸脱しない範囲で種々の変形及び組み合わせが可能である。
【００５２】
【発明の効果】
この発明のペット美容車両は、以上に述べたように構成されているので、狭い空間内で効率的にペットの洗浄等を行える。
【図面の簡単な説明】
【図１】この発明の第一実施例の概観図である。
【図２】第一実施例のペット美容車両における車両空間Ｓの透視概観図である。
【図３】第一実施例のペット美容車両における使用状態を示す平面説明図である。
【図４】第一実施例のペット美容車両における使用状態を示す平面説明図である。
【図５】第一実施例のペット美容車両における保守状態を示す平面説明図である。
【図６】第一実施例のペット美容車両における浴槽の概観斜視図である。
【図７】第一実施例のペット美容車両における浴槽の正面断面図である。
【図８】第一実施例のペット美容車両における作業台の概観斜視図である。
【図９】第一実施例のペット美容車両における作業台の正面一部断面図である。
【図１０】第一実施例のペット美容車両における作業台の側面断面図である。
【図１１】従来のペット美容車両における平面配置を示す断面説明図である。
【符号の説明】
１　給水槽
２　湯沸し器
３　シャワー設備
４　浴槽
４３ａ　排水口
８　濾過装置
５　排水槽
６　作業台
７　乗降設備
Ｓ　空間
ｓ１１、ｓ１２　作業空間
Ｐ　ペット洗浄空間
【図１】
2004024111.tif 000003
【図２】
2004024111.tif 000004
【図３】
2004024111.tif 000005
【図４】
2004024111.tif 000006
【図５】
2004024111.tif 000007
【図６】
2004024111.tif 000008
【図７】
2004024111.tif 000009
【図８】
2004024111.tif 000010
【図９】
2004024111.tif 000011
【図１０】
2004024111.tif 000012
【図１１】
2004024111.tif 000013